(57)【特許請求の範囲】
【請求項１】
ファインダーを備えるとともに、撮影に関する処理を行う撮影モードとその他のモードとを有するデジタルカメラであって、
撮影者が前記ファインダーを覗いたことを検出する接眼検出手段と、
前記その他のモードにおける前記接眼検出手段による前記ファインダーを覗いたことの検出に応じて前記撮影モードに移行させるモード制御手段を備えることを特徴とするデジタルカメラ。
【請求項２】
記憶媒体の装着部を備えるとともに、撮影に関する処理を行う撮影モードとその他のモードとを有するデジタルカメラであって、
記憶媒体の前記装着部への装着を検出する媒体装着検出手段と、
前記装着部に装着された記憶媒体が書き込み可能であるか否かを検出する媒体状態検出手段と、
前記その他のモードにおける書き込み可能な記憶媒体の前記装着部への装着の検出に応じて、前記撮影モードに移行させるモード制御手段を備えることを特徴とするデジタルカメラ。
【請求項３】
記憶媒体の装着部を備えるとともに、撮影に関する処理を行う撮影モードとその他のモードとを有するデジタルカメラであって、
前記装着部に装着された記憶媒体に記憶された撮影用プログラムを検出するプログラム検出手段を備え、
前記その他のモードにおける前記プログラム検出手段による前記撮影用プログラムの検出に応じて前記撮影モードに移行させるモード制御手段を備えることを特徴とするデジタルカメラ。
【請求項４】
記憶媒体の装着部を備えるとともに、撮影済み画像に関する処理を行う再生モードとその他のモードとを有するデジタルカメラであって、
記憶媒体の前記装着部への装着を検出する媒体装着検出手段と、
前記装着部に装着された記憶媒体が書き込み可能であるか否かを検出する媒体状態検出手段と、
前記その他のモードにおける書き込み不可能な記憶媒体の前記装着部への装着の検出に応じて前記再生モードに移行させるモード制御手段を備えることを特徴とするデジタルカメラ。
【請求項５】
記憶媒体の装着部を備えるとともに、撮影済み画像に関する処理を行う再生モードとその他のモードとを有するデジタルカメラであって、
前記装着部に装着された記憶媒体に記憶された再生用プログラムを検出するプログラム検出手段を備え、
前記その他のモードにおける前記プログラム検出手段による前記再生用プログラムの検出に応じて前記再生モードに移行させるモード制御手段を備えることを特徴とするデジタルカメラ。
【発明の詳細な説明】
【０００１】
【発明の属する技術分野】
この発明は、少なくとも撮影モードまたは再生モードを備えるデジタルカメラに関する。
【０００２】
【従来の技術】
最近のデジタルカメラでは液晶等による撮影画像表示手段を設けているものが多く、そのため、「撮った画像がすぐその場で確認できる」というのが銀塩フィルムを使用するカメラ（以下銀塩カメラと略称する）にないデジタルカメラの特徴となっている。
【０００３】
また、撮影の際にも、被写体の確認を同じ表示手段で行えるようになっているものが大半である。これによって、実際に得られる画像や、その色合いも事前に確認可能であるなど、デジタルカメラには銀塩カメラにはないメリットがある。
【０００４】
以上のようなデジタルカメラの場合、表示手段が、撮影済みでメモリカードに保存されている画像を表示する機能と、被写体画像を撮影に先だって事前に確認する機能と２通りの機能を持つことになり、デジタルカメラとしてはこれらに対応した２つのモードを持つことになる。すなわち「撮影モード」、「再生モード」と呼ばれるものであり、通常、デジタルカメラは、これらのモードを切り換えるためのスイッチを備え、このスイッチによって撮影者が上記２つのモードの何れかを選択するようになっている。
【０００５】
【発明が解決しようとする課題】
ところが、銀塩カメラを扱いなれた者にとっては、銀塩カメラには基本的に撮影モードしかないため、このモード切り換えにはなじみがなく、再生モードにセットされていることに気が付かずに、シャッターボタンを押し続けてシャッターチャンスを逃したり、撮影モード下で画像を表示しようとして、操作を誤って撮影画像を消去したりという事態が発生していた。このように従来のデジタルカメラは、操作性に問題があった。
【０００６】
この発明は、従来技術における上述の問題の克服を意図しており、操作性の良好なデジタルカメラを提供することを目的とする。
【０００７】
【課題を解決するための手段】
上記の目的を達成するため、請求項１の発明は、ファインダーを備えるとともに、撮影に関する処理を行う撮影モードとその他のモードとを有するデジタルカメラであって、撮影者が前記ファインダーを覗いたことを検出する接眼検出手段と、前記その他のモードにおける前記接眼検出手段による前記ファインダーを覗いたことの検出に応じて前記撮影モードに移行させるモード制御手段を備えている。
【００２６】
また、請求項２の発明は、記憶媒体の装着部を備えるとともに、撮影に関する処理を行う撮影モードとその他のモードとを有するデジタルカメラであって、記憶媒体の前記装着部への装着を検出する媒体装着検出手段と、前記装着部に装着された記憶媒体が書き込み可能であるか否かを検出する媒体状態検出手段と、前記その他のモードにおける書き込み可能な記憶媒体の前記装着部への装着の検出に応じて、前記撮影モードに移行させるモード制御手段を備えている。
【００２７】
また、請求項３の発明は、記憶媒体の装着部を備えるとともに、撮影に関する処理を行う撮影モードとその他のモードとを有するデジタルカメラであって、前記装着部に装着された記憶媒体に記憶された撮影用プログラムを検出するプログラム検出手段を備え、前記その他のモードにおける前記プログラム検出手段による前記撮影用プログラムの検出に応じて前記撮影モードに移行させるモード制御手段を備えている。
【００３５】
また、請求項４の発明は、記憶媒体の装着部を備えるとともに、撮影済み画像に関する処理を行う再生モードとその他のモードとを有するデジタルカメラであって、記憶媒体の前記装着部への装着を検出する媒体装着検出手段と、前記装着部に装着された記憶媒体が書き込み可能であるか否かを検出する媒体状態検出手段と、前記その他のモードにおける書き込み不可能な記憶媒体の前記装着部への装着の検出に応じて前記再生モードに移行させるモード制御手段を備えている。
【００３６】
また、請求項５の発明は、記憶媒体の装着部を備えるとともに、撮影済み画像に関する処理を行う再生モードとその他のモードとを有するデジタルカメラであって、前記装着部に装着された記憶媒体に記憶された再生用プログラムを検出するプログラム検出手段を備え、前記その他のモードにおける前記プログラム検出手段による前記再生用プログラムの検出に応じて前記再生モードに移行させるモード制御手段を備えている。
【００４１】
【発明の実施の形態】
以下、この発明の実施の形態について図面を参照しつつ説明する。
【００４２】
＜１．全体構成＞
図１〜図４は、本発明の実施形態に係るデジタルカメラ１の要部構成を示す図であり、図１は平面図、図２は側面図、図３は背面図に相当する。また、図４は上面の様子を示す図である。これらの図は必ずしも三角図法に則っているものではなく、デジタルカメラ１の要部構成を概念的に例示することを主眼としている。
【００４３】
これらの図に示すように、デジタルカメラ１は、略直方体状のカメラ本体部２と撮像部３とに大別される構造である。
【００４４】
撮像部３は、撮影レンズであるマクロ機能付きレンズ群３０の後方位置の適所にＣＣＤカラーエリアセンサ３０３（以下単に「ＣＣＤ３０３」という）を有する撮像回路３０２が設けられている。また、このレンズ群３０は、ズームレンズ３００と合焦レンズ３０１とを備えている。
【００４５】
一方、カメラ本体部２の内部には、フォーカスリング４１を駆動し、それにより合焦レンズ３０１を駆動して合焦を行うためのフォーカスモータＭ１が設けられている。
【００４６】
カメラ本体部２の前面には、グリップ部Ｇが設けられ、また、カメラ本体部２の上面には撮影処理に関するスイッチであるシャッターボタン９が設けられている。
【００４７】
また、図１に示すように、デジタルカメラ１は右側面にメモリカード８の装着部としてメモリカードスロット５０１を備えている。
【００４８】
また、メモリカードスロット５０１内にはカードＩ／Ｆ２１２が設けられるとともに、メモリカードスロット５０１近傍にはシール読取りセンサ５０２が設けられている。そして、このデジタルカメラ１ではメモリカード８としてスマートメディアを用いている。
【００４９】
図５はスマートメディアにおける書き込み可能状態と書き込み不可状態とを示す図である。図５（ａ）に示すように、スマートメディアは、書込不可シールＮＷがシール貼付位置ＰＳに貼られていない状態では、書き込み可能状態を示し、逆に、図５（ｂ）に示すように、書込不可シールＮＷがシール貼付位置ＰＳに貼られた状態では書き込み不可状態を示す。そして、図１に示すようにメモリカードスロット５０１近傍で、メモリカードスロット５０１にスマートメディアが装着された状態でのシール貼付位置ＰＳに対応する位置には、ＬＥＤおよびフォトカプラとからなるシール読取りセンサ５０２が設けられている。書込不可シールＮＷはその表面が高反射率のシールとなっており、全体制御部２１１はシール読取りセンサ５０２によるスマートメディアのシール貼付位置ＰＳからの反射光の強度信号をもとに、そのスマートメディアに書込不可シールＮＷが貼られているか否かを検知する。
【００５０】
また、デジタルカメラ１は、４本の単三形乾電池Ｅ１〜Ｅ４を直列接続してなる電源電池Ｅを駆動源としている。
【００５１】
一方、図３に示すように、カメラ本体部２の背面には、略中央に撮影画像のライブビュー表示、アフタービュー表示及び記録画像の再生表示等を行なうための液晶ディスプレイ（ＬＣＤ）１０および撮影画像のライブビュー表示、アフタービュー表示のための電子ビューファインダ（ＥＶＦ）２０が設けられている。このうちＥＶＦ２０は、液晶ディスプレイを接眼レンズにて拡大表示するものである。このＬＣＤ１０およびＥＶＦ２０では、カラーで画像表示が行われる。
【００５２】
ところで、このデジタルカメラ１は、主に「撮影モード」と「再生モード」という２つのモードを備えている。このうち、撮影モードは、撮影に関する処理を行うモードであり、再生モードは、メモリカード８に記録された撮影画像をＬＣＤ１０に再生表示するといった撮影済み画像に関する処理を行うモードである。
【００５３】
ただし、このデジタルカメラ１には撮影モードと再生モードとを切り換える切換スイッチといったものは設けられていない。それは、後に詳述するように、再生モードにおいて撮影に関するイベント（撮影に関する各種操作やアイカップへの接眼）の検出により自動的に撮影モードへ移行し、逆に撮影モードで再生に関するイベント（再生に関する各種操作）の検出により自動的に再生モードへ移行するものとなっているからである。
【００５４】
表１、表２、表３は順に撮影モードでのみ、再生モードでのみ、撮影および再生モードの両方で、それぞれ有効な部材を、機能または操作とともに示す表である。なお、表１においては一部の部材におけるイベントの検出手段も並記している。
【００５５】
【表１】
0003721925.tif 000002
【００５６】
【表２】
0003721925.tif 000003
【００５７】
【表３】
0003721925.tif 000004
【００５８】
以下、表１〜表３を参照しつつ、デジタルカメラ１の撮影モードおよび再生モードに主に関係する各部材について説明する。
【００５９】
図２に示すように、鏡胴にはフォーカスリング４１、ズームリング４２、絞りリング４３が設けられている。フォーカスリング４１はオートフォーカス（ＡＦ）実行時はフォーカスモータＭ１で、マニュアルフォーカス（ＭＦ）実行時は手動で回動される操作部材（セレクタ）であり、それに応じてレンズ３０１が駆動されて合焦が行われる。また、フォーカスリング４１にはＡＦとＭＦとを切り換えるＡＦ／ＭＦ切換スイッチ４４が設けられている。また、フォーカスリング４１内には、その回動位置を検出するフォーカス操作センサ４０１が設けられている。
【００６０】
ズームリング４２は手動で回動させることによりズーム操作を行うための操作部材（セレクタ）である。また、ズームリング４２内には、その回動位置を検出するズーム操作センサ４０２が設けられている。
【００６１】
絞りリング４３は手動で回動させることにより絞りを調節する操作部材（セレクタ）であり、絞りリング４３内には、その回動位置を検出する絞り操作センサ４０３が設けられている。マニュアル撮影時には撮影者が絞りリング４３を手動操作し、絞りを調節する。また、撮像部３内部には絞りを駆動する絞り駆動アクチュエータ４０４が設けられている。そして、自動露出調整（ＡＥ）時には、絞り駆動アクチュエータ４０４で絞りを駆動する。
【００６２】
また、このデジタルカメラ１にはレンズ３００を保護するためのレンズキャップ４５が付属しており、撮像部３における鏡胴の先端に着脱可能となっている。
【００６３】
カメラ本体部２上端部の適所にはポップアップ形式のフラッシュ５が設けられている。なお、フラッシュ５は手動でポップアップしたり、収納したりできるものとなっている。また、カメラ本体部２内部のフラッシュ５近傍にはフラッシュ５の状態（ポップアップ状態または収納状態）を検出するフラッシュポップアップセンサ４０５が設けられている。また、カメラ本体部２の背面のＥＶＦ２０周囲にはアイカップ４６が設けられ、アイカップ４６にはＬＥＤとフォトカプラとからなる接眼センサ４０６が設けられている。接眼センサ４０６はアイカップ４６に撮影者の目ＥＹが接眼しているか否かを検出する。
【００６４】
また、図４に示すように、カメラ本体部２の上面左側には、音声入力のためのマイク４７が設けられている。
【００６５】
また、上面右側には、前述のシャッターボタン９以外に、撮影モードにおける表示をＬＣＤ１０とＥＶＦ２０のいずれで行うかを切り換えるスライド式のＥＶＦ／ＬＣＤ切換スイッチ４９と、セルフ撮影を行うか否かを切り換えるためのセルフ撮影スイッチ５０と、自動発光、発光禁止、常時発光を切り換えるフラッシュ設定スイッチ５１と、プログラムの切換、設定の切換え、さらには電源のオン／オフを行うためのロータリースイッチ５２と、その押下中、音声記録が行われるスイッチである録音ボタン５３と、撮影の各種設定を選択するためのスイッチである選択ボタン５４ａ，５４ｂと、その撮影の各種設定の項目一覧を表示する液晶表示手段である設定表示部５５とが設けられている。
【００６６】
さらに、図３に示すように、デジタルカメラ１の側面にはＵＳＢコネクタ５６が設けられ、背面左上部には音声再生用のスピーカ５７が設けられている。また、その下方にはＬＣＤ１０に表示される表示項目を選択するためのソフトキー（ファンクションキー）としてのスイッチＳＷ１，ＳＷ２が設けられている。さらに、背面右方には、ボタンＵ，Ｄ，Ｌ，Ｒからなる４連スイッチ３５が設けられており、ボタンＵ，Ｄ，Ｌ，Ｒで後述する各種選択の切換操作を行う。
【００６７】
なお、以上における各種スイッチは全体制御部２１１に接続され、その操作は常時、全体制御部２１１に検知される。
【００６８】
また、表１に示すように、以上の各部材のうち、フォーカスリング４１、ズームリング４２、絞りリング４３、ＡＦ／ＭＦ切換スイッチ４４、フラッシュ５、アイカップ４６、ＥＶＦ２０、ＥＶＦ／ＬＣＤ切換スイッチ４９、セルフ撮影スイッチ５０、フラッシュ設定スイッチ５１、ロータリースイッチ５２（電源のオン／オフ以外）、選択ボタン５４ａ，５４ｂ、シャッターボタン９、録音ボタン５３およびマイク４７は撮影モードでのみ有効であり、４連スイッチ３５、スイッチＳＷ１，ＳＷ２およびスピーカ５７は再生モードでのみ有効であり、さらに、ロータリースイッチ５２の電源オン／オフ、メモリカードスロット５０１およびＬＣＤ１０は撮影モードおよび再生モードのいずれでも有効である。
【００６９】
以上から分かるように、再生モードにおける操作を行うためのスイッチ（４連スイッチ３５およびスイッチＳＷ１，ＳＷ２）は全てカメラ本体部２の背面側に集められており（図３参照）、撮影モードにおける操作を行うためのスイッチ（シャッターボタン９、ＡＦ／ＭＦ切換スイッチ４４、ＥＶＦ／ＬＣＤ切換スイッチ４９、セルフ撮影スイッチ５０、フラッシュ設定スイッチ５１、ロータリースイッチ５２、録音ボタン５３、選択ボタン５４ａ，５４ｂ）およびセレクタ（フォーカスリング４１、ズームリング４２、絞りリング４３）は全てレンズ周囲とカメラ本体部２の上面側に集められている（図２および図４参照）。これにより、操作性が良好なカメラとなっている。
【００７０】
＜２．機能的構成＞
図６は、デジタルカメラ１の内部ブロック図である。同図において、ＣＣＤ３０３は、レンズ群３０により結像された被写体の光像を、Ｒ（赤），Ｇ（緑），Ｂ（青）の色成分の画像信号（各画素で受光された画素信号の信号列からなる信号）に光電変換して出力する。タイミングジェネレータ３１４は、ＣＣＤ３０３の駆動を制御するための各種のタイミングパルスを生成するものである。
【００７１】
撮像部３における露出制御は、絞り制御ドライバ３０６に制御された絞り駆動アクチュエータ４０４によるレンズ群３０の絞りの駆動と、ＣＣＤ３０３の露光量、すなわち、シャッタースピードに相当するＣＣＤ３０３の電荷蓄積時間を調節して行なわれる。被写体輝度が低輝度時に適切なシャッタースピードが設定できない場合は、ＣＣＤ３０３から出力される画像信号のレベル調整を行なうことにより露光不足による不適正露出が補正される。すなわち、低輝度時は、シャッタースピードとゲイン調整とを組み合わせて露出制御が行なわれる。画像信号のレベル調整は、信号処理回路３１３内のＡＧＣ回路のゲイン調整において行なわれる。
【００７２】
タイミングジェネレータ３１４は、タイミング制御回路２０２から送信される基準クロックに基づきＣＣＤ３０３の駆動制御信号を生成するものである。タイミングジェネレータ３１４は、例えば積分開始／終了（露出開始／終了）のタイミング信号、各画素の受光信号の読出制御信号（水平同期信号，垂直同期信号，転送信号等）等のクロック信号を生成し、ＣＣＤ３０３に出力する。
【００７３】
信号処理回路３１３は、ＣＣＤ３０３から出力される画像信号（アナログ信号）に所定のアナログ信号処理を施すものである。信号処理回路３１３は、ＣＤＳ（相関二重サンプリング）回路とＡＧＣ（オートゲインコントロール）回路とを有し、ＣＤＳ回路により画像信号のノイズの低減を行ない、ＡＧＣ回路のゲインを調整することにより画像信号のレベル調整を行なう。
【００７４】
センサ群３０５は前述のフォーカス操作センサ４０１、ズーム操作センサ４０２等の各種センサにより構成される。
【００７５】
調光回路３０４は、フラッシュ撮影におけるフラッシュ５の発光量を全体制御部２１１により設定された所定の発光量に制御するものである。フラッシュ撮影においては、露出開始と同時に被写体からのフラッシュ光の反射光がセンサ群３０５に含まれる調光センサにより受光され、この受光量が所定の発光量に達すると、調光回路３０４から発光停止信号が出力され、この発光停止信号に応答してフラッシュ５の発光を強制的に停止し、これによりフラッシュ５の発光量が所定の発光量に制御される。
【００７６】
Ａ／Ｄ変換器２０５は、画像信号の各画素信号を１２ビットのデジタル信号に変換するものである。Ａ／Ｄ変換器２０５は、タイミング発生回路から入力されるＡ／Ｄ変換用のクロックに基づいて各画素信号（アナログ信号）を１２ビットのデジタル信号に変換する。
【００７７】
タイミングジェネレータ３１４、Ａ／Ｄ変換器２０５に対するクロックを生成するタイミング制御回路２０２が設けられている。タイミング制御回路２０２は、全体制御部２１１内の基準クロックにより制御される。
【００７８】
黒レベル補正回路２０６は、Ａ／Ｄ変換された画素信号の黒レベルを基準の黒レベルに補正するものである。また、ＷＢ（ホワイトバランス）回路２０７は、Ｒ，Ｇ，Ｂの各色成分の画素データのレベル変換を行なうものである。ＷＢ回路２０７は、全体制御部２１１から入力されるレベル変換テーブルを用いてＲ，Ｇ，Ｂの各色成分の画素データのレベルを変換する。なお、レベル変換テーブルの各色成分の変換係数（特性の傾き）であるＷＢパラメータは全体制御部２１１により、オートまたはマニュアルで、撮影画像毎に設定される。
【００７９】
γ補正回路２０８は、画素データの階調を補正するものである。
【００８０】
画像メモリ２０９は、γ補正回路２０８から出力される画素データを記憶するメモリである。画像メモリ２０９は、１フレーム分の記憶容量を有している。すなわち、画像メモリ２０９は、ＣＣＤ画素数に対応する画素分の画素データの記憶容量を有し、各画素データが対応する画素位置に記憶されるようになっている。
【００８１】
ＶＲＡＭ２１０は、ＬＣＤ１０に表示される画像データのバッファメモリである。ＶＲＡＭ２１０は、ＬＣＤ１０の画素数に対応した画像データの記憶容量を有している。
【００８２】
ＶＲＡＭ２２０は、ＥＶＦ２０に表示される画像データのバッファメモリである。ＶＲＡＭ２２０は、ＥＶＦ２０の画素数に対応した画像データの記憶容量を有している。
【００８３】
また、撮影待機状態においては、撮像部３により１／３０秒毎に撮像された画像の各画素データがＡ／Ｄ変換器２０５〜γ補正回路２０８により所定の信号処理を施された後、画像メモリ２０９に一時記憶されるとともに、全体制御部２１１を介してＶＲＡＭ２１０、ＶＲＡＭ２２０に転送され、ＬＣＤ１０やＥＶＦ２０に表示される（ライブビュー表示）。また、撮影直後において全体制御部２１１は、シャッターボタン９が全押しされた瞬間に画像メモリ２０９に一時記憶されていた画素データおよびＶＲＡＭ２１０、ＶＲＡＭ２２０に記憶された画素データの保持を所定時間継続させる。これにより撮影された画像が所定時間ＬＣＤ１０やＥＶＦ２０に表示される（アフタービュー表示）。これによって、撮影者は被写体像または撮影画像を視認することができる。
【００８４】
また、再生モードにおいては、メモリカード８から読み出された画像が全体制御部２１１で所定の信号処理が施された後、ＶＲＡＭ２１０に転送され、ＬＣＤ１０に再生表示される。なお、再生モードにおいてはＥＶＦ２０では画像表示は行われない。
【００８５】
カードＩ／Ｆ２１２は、メモリカード８への画像データの書き込み及び画像データの読出しを行なうためのインターフェースである。また、通信用Ｉ／Ｆ２２４は、パーソナルコンピュータ２２５等をＵＳＢコネクタ５６を介して通信可能に外部接続するための、ＵＳＢ規格に準拠したインターフェースである。ただし、この実施の形態のデジタルカメラ１では標準ではパーソナルコンピュータ２２５と通信を行うことはできず、そのような通信を行うためには、制御プログラムを更新する必要がある。
【００８６】
ＲＴＣ２１９は、撮影日時を管理するするための時計回路である。図示しない別の電源で駆動される。
【００８７】
操作部２５０は、上述した４連スイッチ３５、スイッチＳＷ１，ＳＷ２、シャッターボタン９、ＡＦ／ＭＦ切換スイッチ４４、ＥＶＦ／ＬＣＤ切換スイッチ４９、セルフ撮影スイッチ５０、フラッシュ設定スイッチ５１、ロータリースイッチ５２、録音ボタン５３、選択ボタン５４ａ，５４ｂで構成される操作部材（スイッチ）である。
【００８８】
シャッターボタン９は、銀塩カメラで採用されているような途中まで押し込んだ半押し状態と完全に押し込んだ全押し状態とが検出可能な２段階スイッチになっている。
【００８９】
電源制御部２３０は、電源電池Ｅに接続されるとともに、デジタルカメラ１内部のＲＴＣ２１９以外の電力を必要とする各部に接続されており、全体制御部２１１、ＲＴＣ２１９以外の各部への電力供給を制御する。とりわけ、このデジタルカメラ１では撮影にのみ関する部材の集合であり、撮影モード時のみオンする撮影専用ブロックＢＬを有しており、この撮影専用ブロックにおける電力を必要とする各部には撮影モード時のみ電力を供給し、再生モードでは電力を供給しない。その際、電源制御部２３０は全体制御部２１１から撮影モードまたは再生モードに移行した旨の信号を受けて上記電力制御を行う。これにより電力消費を抑えている。
【００９０】
全体制御部２１１は、ＤＲＡＭからなるワークＲＡＭ２１１ａ、フラッシュＲＯＭ２１１ｂを内蔵したマイクロコンピュータからなり、フラッシュＲＯＭ２１１ｂに記憶された制御プログラムを実行することにより、上述した各部材の駆動を有機的に制御してデジタルカメラ１の撮影動作を統括制御するものである。
【００９１】
特に、全体制御部２１１はＡＦ制御機能を有し画像メモリ２０９またはワークＲＡＭ２１１ａ内に記憶された画像データを読み出し、その画像のコントラストが最大となるようにフォーカスモータＭ１を駆動してレンズを移動させ、焦点合わせを行う。その際、コントラストが最大となるようにするための制御方法としては山登り方式等の公知の技術を用いることができる。
【００９２】
また、全体制御部２１１はＡＥ制御機能を有し、画像メモリ２０９またはワークＲＡＭ２１１ａに記憶された画像データから輝度を求め、それをもとに絞り制御ドライバ３０６およびタイミング制御回路２０２に適した絞り値やシャッタースピード（ＳＳ）を設定することにより露出調整を行う。
【００９３】
また、全体制御部２１１はＷＢ制御機能を有し、画像メモリ２０９またはワークＲＡＭ２１１ａに記憶された画像データからＷＢパラメータを求め、そのＷＢパラメータをＷＢ回路２０７に設定する。それによりＷＢ回路２０７がＣＣＤ３０３で得られた画像データに対してＷＢ処理を行う。
【００９４】
また、撮影モードにおいてはＣＣＤ３０３によってレンズ３００から入射する光により画像データが常時得られているが、全体制御部２１１はその画像データを常時監視しており、その画像データの明るさが所定値以下に低下した場合には、鏡胴にレンズキャップ４５が装着されたと判断する。
【００９５】
以下、全体制御部２１１によるメモリカード８への画像および音声の記録および再生について説明する。
【００９６】
図７はメモリカード８のデータ配列を示す図である。このデジタルカメラ１で使用可能なメモリカード８は、画像データや音声データを記録するための記録用メモリカード、撮影済み画像やそれに付随する音声データが記録された再生用メモリカード、ブラケット撮影等の特殊な撮影を行うための撮影用プログラムが記録された撮影用プログラム入りメモリカード（以下「撮影用プログラムカード」という）、スライドショー等の特殊な再生を行うための再生用プログラムを記録した再生用プログラム入りメモリカード（以下「再生用プログラムカード」という）、さらには全体制御部２１１のフラッシュＲＯＭ２１１ｂに記憶された制御プログラムを更新するためのセットアップ用カードの５種類である。
【００９７】
これらのうち、メモリカードから読み出して直接実行するためのプログラムを記憶したメモリカード（以下「プログラムカード」という）である撮影用プログラムカードおよび再生用プログラムカードにおいては、その記憶領域ＲＡの先頭にはプログラム格納エリアＰＡが設けられている。そして、プログラム格納エリアＰＡには、プログラム名ＰＡ１に次いで、そのプログラムが撮影モード用か再生モード用かといったモード情報ＰＡ２が記録され、その後、プログラム本体ＰＡ３が記録されている。なお、プログラムカード以外のメモリカード、すなわち、記録用メモリカードおよび再生用メモリカードには、プログラム格納エリアＰＡは設けられていない。
【００９８】
そして、プログラムカードを使用する際には、全体制御部２１１はプログラムカードからプログラムを読み出し、そのプログラムにより撮影モードまたは再生モードの制御を行う。
【００９９】
また、撮影用プログラムカードおよび再生用プログラムカードにおいてはプログラム格納エリアＰＡに次いで画像データ（録音を伴う場合には音声データ）等が記憶される（記憶された）データエリアＤＡが設けられている。
【０１００】
また、記録用メモリカード、再生用メモリカードの場合には、記憶領域ＲＡの先頭からデータエリアＤＡが開始しており、記憶領域ＲＡ全体がデータエリアＤＡとなっている。
【０１０１】
画像記録時のメモリカード８は、図７に示すように、デジタルカメラ１によって記憶された画像を、所定の圧縮率で２３０コマの画像分、記憶可能であり、各コマのデータは、タグ情報ＤＡ１（コマ番号、露出値、シャッタースピード、圧縮率、撮影日、撮影時のフラッシュ５のオン／オフのデータ、シーン情報、画像の判定結果等の情報）と、ＪＰＥＧ形式で圧縮された高解像度の圧縮画像の画像データＤＡ３とサムネイル表示用のサムネイル画像の画像データＤＡ４とを含み、コマ単位で扱うことが可能である。また、このデジタルカメラ１では録音（音声データの記録）も可能となっており、録音を行った場合には音声データＤＡ２も含まれる。そして、画像ファイルのタグ情報ＤＡ１には音声データＤＡ２へのリンク情報（記憶領域の先頭アドレス）が記述され、そのリンク情報が示すアドレス以降に音声データＤＡ２が記憶されている。
【０１０２】
なお、セットアップ用カードの詳細については説明を省略する。
【０１０３】
全体制御部２１１は、撮影モードにおいて、シャッターボタン９により撮影が指示されると、撮影指示後に画像メモリ２０９に取り込まれた画像から上記サムネイル画像と圧縮画像とを生成し、撮影画像に関するタグ情報等の情報とともに両画像をメモリカード８に記憶する。なお、撮影モードにおいてはアフタービュー表示中等に録音ボタン５３を押すと録音ボタン押下中だけマイク４７を通じて音声を記録することができ、その際、全体制御部２１１は音声データをメモリカード８に記録するとともに、撮影された画像データに対するタグ情報のうちの一つとして、その音声データに対するリンク情報を記述する。
【０１０４】
また、全体制御部２１１は、再生モードにおいて、メモリカード８内のコマ番号の最も大きな（直近に撮影された）画像データまたは指定された画像データを読み出し、データ伸張し、ＶＲＡＭ２１０、２２０に転送することにより、ＬＣＤ１０やＥＶＦ２０に撮影済み画像が表示される。また、再生モードにおいて、後述する音声再生や各種画像処理等のメニュー操作に応じて全体制御部２１１は音声再生や画像処理等、メニューに応じた処理を実行する。
【０１０５】
＜３．処理手順および設定操作＞
つぎに、撮影モードと再生モードにおける処理手順および各種操作について説明する。
【０１０６】
撮影モードでは、ライブビュー画像をＬＣＤ１０およびＥＶＦ２０のうち、ＥＶＦ／ＬＣＤ切換スイッチ４９によって選択されている方に表示し、撮影者はロータリースイッチ５２および選択ボタン５４ａ，５４ｂによる撮影モード設定（後述）やフォーカス操作、絞り操作、ズーム操作を行った後、通常の撮影処理が行われる。
【０１０７】
ここで、通常の撮影処理とは、以下のような処理である。まず、シャッターボタンが半押しされると、撮影モード設定に従った、合焦、露出調整、ＷＢ調整等が行われる。次いでシャッターボタンが全押しされると、それにより画像メモリ２０９に撮影画像が蓄えられ、所定時間のアフタービュー表示を行い、その間に撮影者が録音ボタン５３を押すと音声が記録され、さらに撮影者の保存操作があればそれらのデータがメモリカード８に記録される。
【０１０８】
ただし、再生モードにおいて、撮影者がシャッターボタンを押した場合には、後述するように自動的に撮影モードへ移行するとともに、各種設定やフォーカス操作、絞り操作、ズーム操作のステップは行われないで、いきなり撮影処理に移行する。以下、この直接撮影処理について説明する。
【０１０９】
図８は直接撮影処理のフローチャートである。直接撮影処理においては、再生モードにおいてシャッターボタン９が半押し状態になったか否かを全体制御部２１１が常時監視（ステップＳ１）しており、半押し状態が検出されるとＡＦ、ＡＥ、自動ホワイトバランス調整（ＡＷＢ）が全体制御部２１１の制御のもとに行われる（ステップＳ２）。
【０１１０】
つぎに、シャッターボタン９が全押しになるか否かが所定時間監視され（ステップＳ３）、全押しされなければ、ステップＳ５に進み、全押しされるとステップＳ４に進む。
【０１１１】
全押し状態が検出されると、画像メモリ２０９中の画像データが保持され、ＬＣＤ１０およびＥＶＦ２０のうちの選択されている方には、所定時間その画像がアフタービュー表示される。なお、この間に撮影者の所望によりこの画像に対して音声記録を行うこともできる。
【０１１２】
そして、撮影者がその画像を保存したい場合には、所定の保存操作によりメモリカード８に画像データおよび音声記録が行われた場合には音声データが記録される（ステップＳ４）。
【０１１３】
その後、撮影者の所望により画像処理等のその他の処理が行われる（ステップＳ５）。ただし、ステップＳ３において、所定時間内にシャッターボタン９が全押しされなかった場合には、ステップＳ５のその他の処理は行われない。
【０１１４】
その後ステップＳ１に戻り、次の撮影に備えて待機状態（シャッターボタン９の半押しを監視する状態）となる。
【０１１５】
また、メモリカードスロット５０１に撮影用プログラムカードが装着された場合には、そのプログラムに応じた撮影処理が行われる。
【０１１６】
図９および図１０はロータリースイッチ５２および選択ボタン５４ａ，５４ｂによる各種操作を説明するための図である。
【０１１７】
ロータリースイッチ５２をＬｏｃｋ位置に合わせると、電源をオフすることができる。なお、前述のように電源のオン／オフ操作、すなわち、ロータリースイッチ５２をＬｏｃｋ位置に合わせることにより電源をオフする操作、およびＬｏｃｋ位置からＬｏｃｋ位置以外の位置に合わせることにより電源をオンする操作は、撮影モードおよび再生モードのいずれにおいても有効である。
【０１１８】
また、撮影モードにおいて、ロータリースイッチ５２をＬｏｃｋ位置以外の位置にセットすることにより撮影に関する各種設定を行うことができる。
【０１１９】
また、ロータリースイッチ５２をＰ位置に合わせると、プログラム選択が行える。このプログラム選択においては、設定表示部５５にポートレート、スポーツ、夜景等の被写体に応じたプログラム線図（被写体輝度に対するシャッタースピードと、絞り値の組み合わせ）の項目一覧が表示される。撮影者は選択ボタン５４ａ，５４ｂを押して、所望のプログラムを選択（反転表示）する。なお、各プログラム線図は予め全体制御部２１１内のフラッシュＲＯＭ２１１ｂに記憶されている。
【０１２０】
また、ロータリースイッチ５２をＡ位置に合わせると、絞り優先ＡＥの設定が行える。絞り優先ＡＥの設定においては、撮影者が絞りリング４３を回動させると、それに応じた絞り値が設定表示部５５に表示される。この場合、シャッタースピードは、被写体輝度に応じて、自動的に決定される。
【０１２１】
また、ロータリースイッチ５２をＳ位置に合わせると、シャッター優先ＡＥの設定が行える。シャッター優先ＡＥの設定においては、シャッタースピードの一覧が設定表示部５５に表示され、撮影者が選択ボタン５４ａ，５４ｂを押すことによって選択（反転表示）する。絞り値は、被写体輝度に応じて決まる。なお、この絞り値は絞りリング４３による設定より優先される。
【０１２２】
また、ロータリースイッチ５２をＭ位置に合わせると、露光のマニュアル設定が行える。露光のマニュアル設定においては、絞りとシャッタースピードとを撮影者が手動で設定する。具体的には絞り値として絞りリング４３の位置に応じた値が設定され、シャッタースピードは、設定表示部５５に表示された一覧のうちのいずれかを選択ボタン５４ａ，５４ｂを押すことによって選択（反転表示）する。
【０１２３】
また、ロータリースイッチ５２をＷ位置に合わせると、ホワイトバランス設定が行える。ホワイトバランス設定においては、自動、昼光、蛍光灯、電灯といった項目一覧が設定表示部５５に表示され、撮影者が選択ボタン５４ａ，５４ｂを押すことによって選択（反転表示）する。なお、各項目に対応するＷＢパラメータは、予めフラッシュＲＯＭ２１１ｂに記憶されている。
【０１２４】
また、ロータリースイッチ５２をＧ位置に合わせると、ゲイン設定が行える。ゲイン設定においては、ＩＳＯ感度値の一覧が設定表示部５５に表示され、撮影者が選択ボタン５４ａ，５４ｂを押すことによって選択（反転表示）する。すると、全体制御部２１１が選択値に応じて、ゲインを設定する。
【０１２５】
さらに、ロータリースイッチ５２をＳｅｔ位置に合わせると、その他の設定が行える。その他の設定においては、ＲＴＣ２１９に設定されている日時が設定表示部５５に表示され、撮影者が選択ボタン５４ａ，５４ｂを押すことによって設定する。具体的には選択ボタン５４ｂで設定したい項目（年、月、日、時、分、秒）を選択し、選択された項目の値を選択ボタン５４ａで変化させることで設定する。
【０１２６】
以上が、ロータリースイッチ５２による各種設定操作である。
【０１２７】
再生モードでは、メモリカード８に記憶された撮影済み画像データを再生表示する。ただし、再生モードでは前述のように撮影モード時のみオンする撮影専用ブロックＢＬ、とりわけＥＶＦ２０には電源制御部２３０が電力供給を遮断するため、再生表示は、ＬＣＤ１０でのみ可能となる。
【０１２８】
図１１は再生モードにおける操作を説明するための図である。ＬＣＤ表示オフの状態または撮影モードの画面Ｄ０から、４連スイッチ、スイッチＳＷ１，ＳＷ２のうちのいずれかを押下する操作等の再生に関するイベントの検出により、再生モードに移行する。再生モードに移行すると、初期状態としてコマ番号が最大の画像データが表示された記録画像表示画面Ｄ１が表示される。この画面ではさらに、スイッチＳＷ１，ＳＷ２に対応して「サムネイル」と「設定」の選択項目が表示される。この画面でスイッチＳＷ１を押して「サムネイル」の項目を選択するとサムネイル一覧画面Ｄ２に移行する。なお、記録画像表示画面Ｄ１において表示した画像に音声データが付随している場合にはその旨のアイコンＩＣが表示される。
【０１２９】
サムネイル一覧画面Ｄ２にはスイッチＳＷ１，ＳＷ２に対応して「戻る」と「削除」の選択項目が表示される。この画面でボタンＵを操作するとコマ番号の大きな画像が選択され、ボタンＤを押すとコマ番号の小さな画像が選択される。そして、所望の画像を選択した状態でスイッチＳＷ１を押して「戻る」の項目を選択すると、選択されたコマ番号の画像が表示された記録画像表示画面Ｄ１に移行する。逆に、スイッチＳＷ２を押して「削除」の項目を選択すると選択されたコマ番号の画像データが削除され、サムネイル一覧画面Ｄ２が継続する。
【０１３０】
記録画像表示画面Ｄ１においてスイッチＳＷ２を押して「設定」の項目を選択すると再生モード設定画面Ｄ３に移行する。
【０１３１】
再生モード設定画面Ｄ３にはスイッチＳＷ１，ＳＷ２に対応して「実行」と「戻る」の選択項目が表示されるとともに、音声の再生、彩度の強調処理、カードのフォーマット、エッジの強調処理等の各種処理に対するメニュー項目の一覧が表示される。この画面でボタンＵを押すと１つ上のメニュー項目が選択され、ボタンＤを押すと１つ下のメニュー項目が選択される。所望のメニュー項目を選択した状態でスイッチＳＷ１を押して「実行」の項目を選択すると、メニュー項目に対応する処理が実行される。その際、処理毎に異なる内容を表示する処理実行画面Ｄ４に移行する。そして、処理が終了すると再生モード設定画面Ｄ３に移行する。
【０１３２】
なお、再生用プログラムカードを装着して再生用プログラムを実行すると、その再生用プログラムを全体制御部２１１が実行することにより、異なる処理や再生を行うことができるようになる。例えば、スライドショーによる再生を行う再生用プログラムを記憶した再生用プログラムカードが装着された場合、直接、複数の撮影済み画像が連続して表示されるスライドショーが行われるといった具合である。
【０１３３】
再生モード設定画面Ｄ３においてスイッチＳＷ２を押して「戻る」の項目を選択すると記録画像表示画面Ｄ１に戻る。
【０１３４】
なお、再生モード設定画面Ｄ３における再生モードメニューにおいては彩度の強調処理、エッジの強調処理といった画像処理が含まれており、この画像処理の後に記録画像表示画面Ｄ１に戻ると、撮影済み画像に対してその画像処理を施した画像が表示される。これにより、表示される画像がその画像処理の前後で変化する。
【０１３５】
そして、記録画像表示画面Ｄ１において後に詳述する撮影に関するイベントの検出により撮影モードに移行する。
【０１３６】
以上が、再生モードにおける処理手順および操作である。
【０１３７】
＜４．モード間遷移＞
図１２は電源オン／オフおよび撮影モードと再生モードとのモード間の遷移の様子を示す図である。以下、図１２を用いて、状態遷移について説明する。なお、以下における状態遷移の制御は全体制御部２１１により行われる。
【０１３８】
電源がオンされる（ステップＳ１）と、まず、全体制御部２１１がメモリカード装着の検出（ステップＳ１２）を行い、メモリカード８がメモリカードスロット５０１に装着されると、それに次いで判別処理（ステップＳ１３）を行う。
【０１３９】
図１３は判別処理の処理手順を示すフローチャートである。まず、装着されたメモリカード８が書き込み禁止か否かを判別し（ステップＳ３１）、書き込み禁止であれば、ステップＳ３２に進み、そうでなければステップＳ３４に進む。なお、前述のようにシール読取りセンサ５０２によって書込不可シールＮＷの有無を検出し、その結果ステップＳ３１において書き込み禁止か否かを判別する。
【０１４０】
書き込み禁止であった場合には、装着されたメモリカード８は再生用メモリカードであるので、最も大きなコマ番号のファイルを選択し（ステップＳ３２）、再生モードにセットする（ステップＳ３３）。
【０１４１】
つぎに、メモリカード８がプログラムカードであるか否かを判別し（ステップＳ３４）、プログラムカードであればステップＳ３６に進み、プログラムカードでなければステップＳ３５に進む。この判別は、全体制御部２１１がメモリカード８のプログラム格納エリアＰＡ（図７参照）を検索し、プログラム格納エリアＰＡがあればプログラムカードと判定し、なければプログラムカードでないと判定する。
【０１４２】
プログラムカードでなかった場合には、装着されたメモリカード８は記録用メモリカードであり、撮影画像を記録することができるので、撮影モードにセットする（ステップＳ３５）。
【０１４３】
ステップＳ３４における判定でプログラムカードであった場合には、再生用プログラムを記録しているか否かを判定する（ステップＳ３６）、再生用プログラムを記録していた場合にはステップＳ３７に進み、撮影用プログラムを記録していた場合にはステップＳ３９に進む。なお、この具体的判定方法としては、プログラム格納エリアＰＡのモード領域ＰＡ２（図７参照）に再生モードである旨が記録されていた場合には、再生用プログラムを記録していると判断し、モード領域ＰＡ２に撮影モードである旨が記録されていた場合には、撮影用プログラムを記録していると判断する。
【０１４４】
再生用プログラムを記録していた場合には、装着されたメモリカード８は再生用プログラムカードであるので、再生モードにセットし（ステップＳ３７）、プログラム本体ＰＡ３（図７参照）を読み出して、その再生用プログラムを実行する（ステップＳ３８）。
【０１４５】
撮影用プログラムを記録していた場合には、装着されたメモリカード８は撮影用プログラムカードであるので、撮影モードにセットし（ステップＳ３９）、プログラム本体ＰＡ３（図７参照）を読み出して、その撮影用プログラムを実行する（ステップＳ４０）。
【０１４６】
以上で、撮影モードＭＤ１または再生モードＭＤ２（図１２参照）のいずれかにセットされた。そして、図１２に示すように、以下のように再生モードと撮影モードとの間で状態遷移する。
【０１４７】
再生モードにおける以下のような撮影に関するイベントの検出により撮影モードに移行する（表１参照）。
【０１４８】
フラッシュ操作によって移行する。フラッシュ操作は具体的には、フラッシュ設定スイッチ５１による自動発光、発光禁止、常時発光の切り換え操作およびフラッシュ５の手動でのポップアップまたは収納の操作である。
【０１４９】
アイカップ４６への接眼の検知によっても移行する。
【０１５０】
また、撮影モード設定操作によっても移行する。具体的には図９および図１０に示した電源オフ操作以外のプログラム選択、絞り優先ＡＥ、シャッター優先ＡＥ、マニュアル設定、ホワイトバランス設定、ゲイン設定、その他の設定の各操作である。
【０１５１】
また、セルフ撮影操作によっても移行する。具体的にはセルフ撮影ボタンの押下である。
【０１５２】
また、フォーカス操作によっても移行する。具体的には、フォーカスリング４１によるフォーカス操作（ＡＦモード時はフォーカスモータによる自動操作、ＭＦ時は手動操作）および、ＡＦ／ＭＦ切換スイッチ４４によるＡＦとＭＦとの切り換え操作である。
【０１５３】
また、ズーム操作によっても移行する。具体的には、ズームリング４２によるズーム操作である。
【０１５４】
また、絞り操作によっても移行する。具体的には、絞りリング４３による絞り操作（ＡＥ時は絞り駆動アクチュエータ４０４による自動操作、マニュアル露出時は手動操作）である。
【０１５５】
また、シャッターボタン操作によっても移行する。具体的には、シャッターボタン９の半押しおよび全押し操作である。
【０１５６】
また、録音操作によっても移行する。具体的には、録音ボタン５３の押下である。そして、この操作により直近に撮影された（コマ番号が最大の）撮影済み画像に対して直ちに音声記録を行うことができる。
【０１５７】
また、表示切換操作によっても移行する。具体的には、撮影モードにおける表示をＬＣＤ１０、ＥＶＦ２０のいずれで行うかのＥＶＦ／ＬＣＤ切換スイッチ４９による切り換えである。
【０１５８】
また、選択ボタン操作によっても移行する。具体的には、選択ボタン５４ａ，５４ｂの押下である。
【０１５９】
さらに、メモリカードスロット５０１への記録用メモリカード、撮影用プログラムカードの装着操作によっても移行する。再生モードにおいても、装着されていたメモリーカード８が抜かれ、再度、メモリカード８が装着された場合には図１３と同様の判別処理を行う。そして、判別処理におけるステップＳ３５およびステップＳ３９の処理によって撮影モードに移行するのである。ただし、再生用メモリカード、再生用プログラムカードの装着によっては移行しない。
【０１６０】
なお、撮影モードにおいては前述のように撮影モード設定に続いて撮影処理が行われる。
【０１６１】
逆に、撮影モードにおいて以下のような再生に関するイベントの検出により再生モードに移行する。
【０１６２】
レンズキャップ装着の検知により移行する。レンズキャップ４５の鏡胴先端への装着の検知は前述のようにＣＣＤ３０３による画像データを基に全体制御部２１１が行う。
【０１６３】
また、４連スイッチ３５、スイッチＳＷ１，ＳＷ２の操作によっても移行する。具体的には図１で示した再生モードにおける各種処理のための４連スイッチ３５（ボタンＬ、Ｒ、Ｕ、Ｄ）、スイッチＳＷ１，ＳＷ２のいずれかの押下操作である。
【０１６４】
さらに、メモリカードスロット５０１への再生用メモリカード、再生用プログラムカードの装着操作によっても移行する。撮影モードにおいても、装着されていたメモリーカード８が抜かれ、再度、メモリカード８が装着された場合には図１３と同様の判別処理を行う。そして、判別処理におけるステップＳ３３およびステップＳ３７の処理によって再生モードに移行するのである。ただし、記録用メモリカード、撮影用プログラムカードの装着によっては移行しない。
【０１６５】
なお、再生モードにおいては前述のように撮影済み画像の再生や、再生モード設定画面Ｄ３（図１１参照）における各種操作である再生モード設定が行われる。
【０１６６】
なお、再生モードおよび撮影モードのいずれにおいてもロータリースイッチ５２による電源オフ操作によって電源がオフされる（図１２：ステップＳ１４）。
【０１６７】
以上説明したように、撮影に関するイベント（フォーカス操作、ズーム操作、絞り操作、シャッター速度設定操作、ゲイン設定操作、ホワイトバランス設定操作、フラッシュ操作、録音操作、アイカップ４６への接眼、セルフ撮影操作、プログラム選択操作、表示切換操作、シャッターボタン操作、記録用メモリカードまたは撮影用プログラムカードの装着）の検出によって撮影モードへ自動的に移行するので操作性が良好であり、再生モードのまま撮影しようとして、シャッターチャンスを逃すことがない。
【０１６８】
また、再生に関するイベント（レンズキャップ装着、表示操作部材および音声再生操作部材としての４連スイッチ、スイッチＳＷ１，ＳＷ２の操作、再生用メモリカードまたは再生用プログラムカードの装着）の検出によって再生モードへ移行するので、画像表示や音声再生等、撮影済み画像に関する処理を行いたい時にすぐ行え、さらに操作性がよい。
【０１６９】
また、撮影モードにおける、レンズキャップ４５がレンズを覆っていることの検出に応じて再生モードに移行させるため、再生モードにおいてレンズを保護することができ、また、レンズキャップ４５がレンズを覆っている状態で、撮影者が撮影モードであると間違うことがないのでシャッターチャンスを逃さない。
【０１７０】
また、再生用操作部材（４連スイッチ３５およびスイッチＳＷ１，ＳＷ２）と撮影用操作部材（シャッターボタン９、ＡＦ／ＭＦ切換スイッチ４４、ＥＶＦ／ＬＣＤ切換スイッチ４９、セルフ撮影スイッチ５０、フラッシュ設定スイッチ５１、ロータリースイッチ５２、録音ボタン５３、選択ボタン５４ａ，５４ｂ、フォーカスリング４１、ズームリング４２、絞りリング４３）とがデジタルカメラ１外面のうち異なる面、すなわち、背面と上面にそれぞれ配置されているため、再生モードと撮影モードのそれぞれにおいて有効な操作部材を間違えにくく、さらに操作性が良好である。
【０１７１】
さらに、撮影用操作部材がレンズを含む鏡胴周囲および本体上面に配置され、再生用操作部材が本体背面に配置されているので、撮影や再生に関する操作を連想させる位置に撮影用操作部材や再生用操作部材が設けられているため、一層操作性が良好である。
【０１７２】
＜５．変形例＞
上記実施の形態においてデジタルカメラ１の例を示したが、この発明はこれに限定されるものではない。
【０１７３】
例えば、上記実施の形態では撮影モードと再生モードのみを備えるものとしたが、フラッシュＲＯＭ２１１ｂに記憶された制御プログラムを更新することにより撮影モードと再生モードとは別に、データ転送モードを備えるものとしてもよい。このデータ転送モードにおいては、ＵＳＢコネクタ５６を通じてパーソナルコンピュータ２２５と接続し（図６参照）、通信を行うことにより画像等のデータをデジタルカメラ１からパーソナルコンピュータ２２５に転送したり、逆にパーソナルコンピュータ２２５からデジタルカメラ１に転送したりする。
【０１７４】
すなわち、この発明では上記データ転送モードのように、撮影モードと再生モード以外の別のモードを備えていてもよく、その場合には撮影モードおよび別のモードにおける再生に関するイベントの検出により再生モードへ移行したり、再生モードおよび別のモードにおける撮影に関するイベントの検出により撮影モードへ移行するといった制御うものとすればよい。
【０１７５】
また、上記実施の形態では、図１３に示したように、装着されたメモリカード８が、書込み可能かつ再生用プログラムカードでない場合には、撮影モードに移行するものとしたが、この条件に加えて、さらに、書込み可能な空き領域の有無を検出し、書込み可能な空き領域がある場合にのみ撮影モードに移行するようにしてもよい。それにより、メモリカードに空き領域がないのに撮影しようとしてシャッターチャンスを逃すといったことがなく、より操作性が良好となる。
【０１７６】
さらに、上記実施の形態では、１コマの画像の表示、サムネイル画像の表示、スライドショーおよび音声再生の各処理は、再生モードにおいてスイッチＳＷ１，ＳＷ２および４連スイッチ３５といった共通のスイッチの操作によるものとしたが、それぞれ、１コマの画像の表示用のスイッチ、サムネイル画像の表示用のスイッチ、スライドショー用のスイッチおよび音声再生用のスイッチをそれぞれ個別に設け、それらのスイッチの操作により共通に再生モードへ移行するものとしてもよい。
【０１７７】
【発明の効果】
以上説明したように、請求項１ないし請求項３の発明によれば、それぞれ、撮影者がファインダーを覗いたこと、書き込み可能な記憶媒体の装着部への装着、撮影用プログラムの検出によって撮影モードへ移行させるので、自動的に撮影モードへ移行するため、操作性が良好である。
【０１７８】
また、請求項１ないし請求項３の発明によれば、再生モードのまま撮影しようとして、シャッターチャンスを逃すことがない。
【０１７９】
また、請求項４および請求項５の発明によれば、それぞれ、書き込み不可能な記憶媒体の装着部への装着、再生用プログラムの検出によって再生モードへ移行させるので、記録済み画像に関する処理を行いたい時にすぐ行うことができ、操作性がよい。
【図面の簡単な説明】
【図１】本発明の実施形態に係るデジタルカメラの要部構成を示す図である。
【図２】本発明の実施形態に係るデジタルカメラの要部構成を示す図である。
【図３】本発明の実施形態に係るデジタルカメラの要部構成を示す図である。
【図４】本発明の実施形態に係るデジタルカメラの要部構成を示す図である。
【図５】スマートメディアにおける書き込み可能状態と書き込み不可状態とを示す図である。
【図６】デジタルカメラの内部ブロック図である。
【図７】メモリカードのデータ配列を示す図である。
【図８】直接撮影処理のフローチャートである。
【図９】ロータリースイッチおよび選択ボタンによる撮影設定操作を説明するための図である。
【図１０】ロータリースイッチおよび選択ボタンによる撮影設定操作を説明するための図である。
【図１１】再生モードにおける操作を説明する図である。
【図１２】電源オン／オフおよび撮影モードと再生モードとのモード間の遷移の様子を示す図である。
【図１３】判別処理の処理手順を示すフローチャートである。
【符号の説明】
１  デジタルカメラ
２  カメラ本体部
５  フラッシュ
８  メモリカード
９  シャッターボタン
１０  ＬＣＤ
２０  ＥＶＦ
３５  ４連スイッチ（表示操作部材、音声再生操作部材）
４１  フォーカスリング
４２  ズームリング
４３  絞りリング
４４  ＡＦ／ＭＦ切換スイッチ（自動手動切換手段）
４５  レンズキャップ（レンズ保護部材）
４７  マイク（２１１とともに音声記録手段）
４９  ＥＶＦ／ＬＣＤ切換スイッチ（表示手段切換部材）
５０  セルフ撮影スイッチ（セルフ撮影設定部材）
５１  フラッシュ設定スイッチ
５２  ロータリースイッチ（シャッター速度操作部材、ゲイン操作部材、ホワイトバランス操作部材、プログラム設定部材）
５３  録音ボタン（録音操作部材）
５４ａ，５４ｂ  選択ボタン（シャッター速度操作部材、ゲイン操作部材、ホワイトバランス操作部材、プログラム設定部材）
５５  設定表示部
５７  スピーカ（音声再生手段）
２１１  全体制御部（モード制御手段、シャッター速度設定手段、シャッター速度操作検出手段、ゲイン設定手段、ゲイン操作検出手段、ホワイトバランス設定手段、ホワイトバランス操作検出手段、フラッシュ設定手段、フラッシュ操作検出手段、録音操作検出手段、セルフ撮影手段、セルフ撮影操作検出手段、プログラム撮影手段、プログラム操作検出手段、表示切換操作検出手段、シャッター操作検出手段、撮影制御手段、媒体装着検出手段、プログラム検出手段、保護部材検出手段、表示操作検出手段、音声再生操作検出手段）
３００  ズームレンズ
３０１  合焦レンズ
３０３  ＣＣＤ
４０１  フォーカス操作センサ（合焦操作検出手段）
４０２  ズーム操作センサ（変倍操作検出手段）
４０３  絞り操作センサ（絞り操作検出手段）
４０４  絞り駆動アクチュエータ
４０５  フラッシュポップアップセンサ（フラッシュ操作検出手段）
４０６  接眼センサ（接眼検出手段）
５０１  メモリカードスロット（装着部）
５０２  シール読取りセンサ（媒体状態検出手段）
ＳＷ１，ＳＷ２  スイッチ（表示操作部材、音声再生操作部材）
【図１】
0003721925.tif 000005
【図２】
0003721925.tif 000006
【図３】
0003721925.tif 000007
【図４】
0003721925.tif 000008
【図５】
0003721925.tif 000009
【図６】
0003721925.tif 000010
【図７】
0003721925.tif 000011
【図８】
0003721925.tif 000012
【図９】
0003721925.tif 000013
【図１０】
0003721925.tif 000014
【図１１】
0003721925.tif 000015
【図１２】
0003721925.tif 000016
【図１３】
0003721925.tif 000017